(57)【要約】【課題】自動販売機でも取り扱い可能な、飲料水とおしぼりを個別に収容できる飲料水容器を提供する。【解決手段】結合又は分離が可能な上部容器本体と下部容器本体とを備えた容器であって、それぞれに別々の内容物を収容することができ、全体として自動販売機で取り扱い可能な重さと形状を有する飲料水容器。下部容器本体は内容物を収容すると同時に蓋の役目を果たしており、下部容器本体内の気密性を高めるために、上部容器本体の下端と下部容器本体の上端との間にゴム素材等でパッキンを施す。これにより本発明にかかる飲料水容器は、上部容器本体に清涼飲料水を、下部容器本体におしぼりを収容することで、おしぼりつきの飲料水容器を自動販売機でも販売することが可能となる。【選択図】図１
2015155320.tif 000002
【特許請求の範囲】
【請求項１】
飲料水を収容する飲料水収容部と、
おしぼりを収容するおしぼり収容部と、を備え、
飲料水収容部とおしぼり収容部とは、結合又は分離可能である、
自動販売機に収容可能な外形に形成された飲料水容器。
【請求項２】
おしぼり収容部は、上端において、
飲料水収容部の下端と螺合し、
おしぼり収容部と飲料水収容部との間には、
弾性変形可能なパッキンが設けられている請求項１に記載の飲料水容器。
【請求項３】
飲料水収容部とおしぼり収容部とが結合された状態において、
飲料水収容部とおしぼり収容部にまたいで、
双方に固定された未開封表示部を、更に備え、
未開封表示部は、飲料水収容部とおしぼり収容部とが、
分離されると破断する請求項１又は２に記載の飲料水容器。
【発明の詳細な説明】
【技術分野】
【０００１】
本発明は、容器に関するものであり、詳しくは結合又は分離が可能な、飲料水とおしぼりを個別に収容できる飲料水容器や、自動販売機でも取り扱い可能な飲料水容器に関するものである。
【背景技術】
【０００２】
日本には飲食の前に手を清潔にする習慣があり、またおしぼりは、日本が発祥の地である。そのため飲食店ではもちろんのこと、お弁当の購入時でも、おしぼりがついてくることは珍しいことではない。飲食の前に手を清潔にしたいと思っても、外出先で手洗い出来る環境でない場合等には、おしぼりはとても重宝する存在と言えるだろう。
一方で、夏の暑い時期に喉の渇きを潤しながら冷たいおしぼりを使ってさっぱりしたり、冬の寒い時期に温かい飲み物と温かいおしぼりで体を温めてホッとするなどの経験をしたことがある人も多いだろう。おしぼりには汚れを落とすという物理面だけでなく、リフレッシュという精神面での効果も期待できるため、おもてなし文化と言われる日本において、おしぼり文化が根付いている所以であろう。
【０００３】
また日本は自動販売機大国と言われており、自動販売機の設置台数のみならず、取り扱われている製品の種類も、飲料水に始まり、タバコ、食品類、切符や書籍といったものなど、実に多種多様である。自動販売機全体の約半分を占める飲料水の自動販売機になると、人口50人に1台、都市部に限れば30人に1台の割合で設置されていると言われている。そのため喉が渇いた時には、いつでも容易に飲料水を購入することができる。
【０００４】
このように日本では、おしぼりも自動販売機も馴染み深いものであるが、パチンコ屋等ごく一部を除いて、自動販売機での一般大衆向けのおしぼりの取り扱いは行われていない。
普及には至っていないが、自動販売機等を利用して、おしぼりそのものを販売するアイデアは公報により公知となっている（例えば実願平3−53365号公報、及び特開平10−255138号公報参照）。しかしながら飲料水とセットでおしぼりを扱う概念には至っていない。
また飲料水容器に関しては、飲料水ボトルに飲料水と食品とを収容できる容器のアイデアが公報によって公知となっている（例えば実登3110459号公報）。しかしながら飲料水と一緒に扱うものが食品の概念を超えるものではなく、飲料水と一緒におしぼりを扱う概念には至っていない。
【先行技術文献】
【特許文献】
【０００５】
【特許文献１】実願平3−53365号公報
【特許文献２】特開平10−255138号公報
【特許文献３】実登3110459号公報
【発明の概要】
【発明が解決しようとする課題】
【０００６】
飲食の前には手を清潔にする習慣がある日本では、お弁当の購入時でも、使い捨てのおしぼりが一緒に入れられていることは珍しい事ではないが、必ずしもいつもおしぼりがついてくるとは限らず、また手を拭くには小さすぎるおしぼりであることも多い。
【０００７】
飲料水は店頭のみならず自動販売機でも販売されているため、いつでも容易に飲料水を購入することができる。一方でおしぼりは、自動販売機での取り扱いがないのは勿論のこと、雑貨を取り扱っていない店では置いてないことも多く、外出先で欲しいと思った時に購入することは、飲料水を購入するのに比べると遥かに難しい。さらに外出先で“温かい”又は“冷たい”おしぼりを所望するに至っては、喫茶や飲食店等を利用せざるを得ないのが現状である。
【０００８】
本発明は、このような実情に鑑みてなされたものであり、外出先での飲食の前や、おしぼりを必要とする時に、いつでも手軽に“温かい”又は“冷たい”おしぼりを飲料水と一緒に購入できるよう、自動販売機においても取り扱い可能な形状を有する、飲料水収容部とおしぼり収容部とが結合又は分離可能な、飲料水容器を提供することを目的とする。
【課題を解決するための手段】
【０００９】
上記課題を解決するために、第一に本発明は、飲料水を収容する飲料水収容部と、おしぼりを収容するおしぼり収容部とを備えた飲料水容器であって、飲料水収容部とおしぼり収容部とは、結合又は分離可能である、自動販売機に収容可能な外形に形成された飲料水容器（発明1）を提供する。
【００１０】
第二に本発明は、おしぼり収容部は、上端において、飲料水収容部の下端と螺合する飲料水容器であって、おしぼり収容部と飲料水収容部との間には、弾性変形可能なパッキンが設けられている発明1に記載の飲料水容器（発明2）を提供する。
【００１１】
第三に本発明は、飲料水収容部とおしぼり収容部とが結合された状態において、飲料水収容部とおしぼり収容部にまたいで、双方に固定された未開封表示部を、更に備えた飲料水容器であって、未開封表示部は、飲料水収容部とおしぼり収容部とが分離されると破断する発明1又は発明2に記載の飲料水容器（発明3）を提供する。
【発明の効果】
【００１２】
本発明に係る容器によれば、自動販売機においても取り扱い可能な形状を有する、飲料水収容部とおしぼり収容部とが、結合又は分離可能な飲料水容器の提供により、外出先での飲食前や、おしぼりを必要とする時に、いつでも手軽に“温かい”又は“冷たい”おしぼりを飲料水と一緒に購入することが可能となる。
【図面の簡単な説明】
【００１３】
【図１】本発明の一実施形態に係る容器の使用状態を示す斜視図である。
【図２】同実施形態に係る容器の斜視図である。
【図３】同実施形態に係る容器の分解斜視図である。
【図４】同実施形態に係る容器の結合部分を示す断面図である。
【図５】同実施形態に係る容器のパッキン部分を示す斜視図である。
【図６】同実施形態に係る容器の使用状態を示す分解斜視図である。
【図７】同実施形態に係る容器の未開封表示部を示す斜視図である。
【発明を実施するための形態】
【００１４】
以下、本発明の一実施形態について、図面に基づいて説明する。図1は本発明の一実施形態に係る容器の使用状態を示す斜視図であり、図2は同実施形態に係る容器の斜視図であり、図3は同実施形態に係る容器の分解斜視図であり、図4は同実施形態に係る容器の結合部分を示す断面図であり、図5は同実施形態に係る容器のパッキン部分を示す斜視図であり、図6は同実施形態に係る容器の使用状態を示す分解斜視図であり、図7は同実施形態に係る容器の未開封表示部を示す斜視図である。
【００１５】
まず本実施形態に係る容器1の構成を説明する。図1に示すように、飲料水容器1は、飲料水を収容する上部容器本体2、おしぼりを収容する下部容器本体3、キャップ4、パッキン5、清涼飲料水6、おしぼり7、シュリンクフィルム８によって構成されている。
【００１６】
図2に示すように、容器1は容器本体10と容器本体10に取り付けられたキャップ4とから構成される。そして容器本体10は、上部容器本体2と下部容器本体3とから構成されている。容器本体10の下から四分の１近傍である容器本体11において、上部容器本体2と下部容器本体3とが重なり合う構造となっている。
【００１７】
図3に示すように、容器1は容器本体11a及び11bにおいて、上部容器本体2と下部容器本体3とが結合又は分離される。上部容器本体口部21から胴体にかけては、通常の飲料用ペットボトルと同様の形態をしており、上端は開口部を有し、キャップ4が螺合し得るようにねじ山を有する略円筒状となっている。また上部容器本体下端22は、下部容器本体3が螺合し得るようにねじ山を有する略円筒状となっているが、上部容器本体下端22そのものは開口部を有しておらず、閉じられた底となっている。さらに下部容器本体3は容器本体であると同時にキャップの役目を果たしており、上部容器本体下端22のねじ山に螺合できるよう、下部容器本体3の上端の内側31はねじ山を有する構造になっている。
【００１８】
もしくは上部容器本体の下端及び下部容器本体の上端には、互いに重なり合う重合部が設けられており、前記上部容器本体の下端は、前記下部容器本体の蓋となるためのねじ山の形状を有し、これらを重合することで上部容器本体と下部容器本体とが結合又は分離する構造になっている。
【００１９】
図4に示すように、上部容器本体下端の直径23は上部容器本体の直径24より僅かに小さくなっている。その直径差は、下部容器本体3の厚み31の幅2つ分となっている。
【００２０】
上部容器本体下端22のねじ山の高さは1ｃｍ程度が好ましいが、この高さに限られるものではなく、上部容器本体2と下部容器本体3が結合され、意図せず容易に分離されることのない高さが確保されていればよい。
【００２１】
下部容器本体内の気密性を高めるために、上部容器本体の下端と下部容器本体の上端とが螺合し、上部容器本体と下部容器本体との間には、弾性変形可能なパッキンが施される。本実施形態においては、下部容器本体3内の気密性を保つため、図4に示すように、上部容器本体2の下端と下部容器本体3の上端が接触する部分に、例えばゴム製のパッキン5が施される。パッキンに用いる素材はゴム素材や、エラストマー素材、エンジニアリングプラスチック素材など、弾性変形可能なパッキン素材であればよい。
【００２２】
さらに図5に示すように、下部容器本体3の上端32が、上部容器本体2に納められているパッキン5に接触することが好ましいが、必ずしも上部容器本体の下端と下部容器本体の上端とが接触する部分にパッキンが施される必要はなく、下部容器本体3の容器口部にインナーシールが貼られる等により、下部容器本体3内の気密性が保たれればよい。
【００２３】
図6に示すように、本実施形態では上部容器本体2には清涼飲料水6を、下部容器本体3にはおしぼり7が収容される。ここでいう清涼飲料水とは、食品衛生法で定められている、乳酸菌飲料、乳・乳製品を除く酒精分1容量％未満の飲料のことであり、果実飲料やコーヒーの他にもミネラルウォーターや茶、炭酸飲料なども含むものである。
【００２４】
飲料水収容部である上部容器本体2とおしぼり収容部である下部容器本体3には、それぞれ内容物が略気密で収容され、さらに図6に示すように、上部容器本体2と下部容器本体3を分離させたときには、上部容器本体2と下部容器本体3はそれぞれの容器が独立した容器として直立することができる。これは上部容器本体2及び下部容器本体3に内容物が収容されている場合、又は何も収容されていない場合、いずれの場合でも直立することができる。さらに上部容器本体2と下部容器本体3を再度結合させた時には、内容物が密閉して収容されることを特徴とする。ここでいう略気密とは、容易に液体の異物が入らない状態のことであり、密閉とは固体の異物が入らない状態のことを指す。
【００２５】
下部容器本体3に収容される内容物は本実施形態ではおしぼり7であり、予め任意量の蒸留水、純水、その他の清浄な水、消毒液、又は香料のすくなくともいずれか一種類を含浸せしめた、例えば20ｃｍ四方程度の大きさの布製のおしぼり7が、図6に示すようにロール状に折り畳まれ、下部容器本体3に収容される。このときおしぼり7の素材はしっかりとした拭き心地を確保できる布であることが好ましいが、これに限られるものではなく、例えば紙や不織布であってもよい。またおしぼりは予め袋詰めされているおしぼりでもよい。
【００２６】
本実施形態においては、上部容器本体2の素材はポリエチレンテレフタレート（PET）、下部容器本体3及びキャップ4の素材はポリプロピレンと、飲料容器に通常使用されるものと同じ素材であるが、これに限られるものではなく、容器本体とキャップは合成樹脂又は金属のいずれか一方でできていることを特徴とする。合成樹脂は、ポリエチレンテレフタレート（PET）やポリプロピレン、飽和ポリエステル樹脂等の合成樹脂でもよく、また金属はアルミやスチール等の金属でもよい。
上部容器本体2の厚みは、一般的な飲料容器と略同程度であり、下部容器本体3とキャップ4の厚みは、一般的な飲料容器のキャップの厚みと略同程度である。
また本実施形態における上部容器本体2及び下部容器本体3は無色透明で、容器1内の収容物が見えるようになっていることが好ましいが、下部容器本体3は無色透明、半透明、又は不透明の少なくともいずれか一つであればよい。
【００２７】
図7に示すように、飲料水収容部である上部容器本体2とおしぼり収容部である下部容器本体3に内容物を収容後、上部容器本体2と下部容器本体3とが結合された状態において、上部容器本体2と下部容器本体3にまたいで、双方に固定された未開封表示部81を備え、未開封表示部81は、上部容器本体2と下部容器本体3とが分離されると破断することを特徴とする。本実施形態においては、通常の飲料用ペットボトルで使用されているシュリンクフィルム8を、図7に示すように装着させる。シュリンクフィルム8は、未開封表示部81の部分でのみ、上部容器本体2と下部容器本体3とが繋がっている。下部容器本体3内に収容されたおしぼりを取り出すために上部容器本体2と下部容器本体3を分離させるときには、未開封表示部81のミシン目部分でシュリンクフィルムを破断させる必要がある。
【００２８】
本実施形態においては、シュリンクフィルム8の素材は延伸ポリスチレン（OPS）フィルムと、通常の飲料用ペットボトルに使用されるものと同じ素材であるが、これに限られるものではなく、延伸ポリスチレン（OPS）フィルム、ポリエチレンテレフタレート（PET）フィルム、他の合成樹脂フィルム、又はそれらの組み合わせによる素材の、少なくともいずれか一つでできていることを特徴とする。
【００２９】
また必ずしも未開封表示部にシュリンクフィルムが使われる必要はなく、未開封の商品であることが証明できるセキュリティシールや封印シール、ペットボトルで用いられているキャップリングなど、未開封かどうかが分かるよう配慮されていればよい。
【００３０】
以上のようにして、容器1（上部容器本体2＋下部容器本体3＋キャップ4＋シュリンクフィルム8）内に内容物が収容されたときの合計質量が350〜700ｇになるように設定されていることが好ましいが、内容物が収容された時の容器1の合計質量が、自動販売機において問題なく排出される範囲内に収まるように設定されていればよい。
【００３１】
このように全体として、結合又は分離が可能な、飲料水とおしぼりが収容された飲料水容器である容器1が得られる。この容器1は、自動販売機でも取り扱い可能な形状と重さを有しているため、本実施形態に係る容器1によれば、店頭で販売するのみならず、自動販売機でも販売することができ、飲料水と一緒にいつでも気軽に“温かい”又は“冷たい”おしぼりが購買者に提供される。
【００３２】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００３３】
本発明は必ずしも、上部容器本体2に清涼飲料水、下部容器本体3におしぼりが収納される必要はなく、上部容器本体2におしぼり、下部容器本体3に清涼飲料水が収容されるのでもよい。
【００３４】
また下部容器本体3に収容される内容物は必ずしもおしぼりに限る必要はなく、飲料水と所望の商品が収容されたときに、全体として自動販売機で取り扱い可能な形状と重さを有していることで、店頭のみならず自動販売機においても、飲料水と一緒に所望の商品の販売が可能となる。
【符号の説明】
【００３５】
1  ・・・飲料水容器
10・・・容器本体
11・・・上部容器本体と下部容器本体の重合部分
2  ・・・上部容器本体
21・・・上部容器本体口部
22・・・上部容器本体下端
23・・・上部容器本体下端の直径
24・・・上部容器本体の直径
3  ・・・下部容器本体
31・・・下部容器本体3の厚み
32・・・下部容器本体上端
4  ・・・キャップ
5  ・・・パッキン
6  ・・・清涼飲料水
7  ・・・おしぼり
8  ・・・シュリンクフィルム
81・・・未開封表示部
【図１】
2015155320.tif 000003
【図２】
2015155320.tif 000004
【図３】
2015155320.tif 000005
【図４】
2015155320.tif 000006
【図５】
2015155320.tif 000007
【図６】
2015155320.tif 000008
【図７】
2015155320.tif 000009